【手続補正書】
【提出日】平成15年12月17日(2003.12.17)
【手続補正１】
【補正対象書類名】特許請求の範囲
【補正対象項目名】全文
【補正方法】変更
【補正の内容】
【特許請求の範囲】
【請求項１】
創傷の治癒を促進するための電極システムであって、以下：
支持構造体；
該支持構造体に装着された第１電極；
該第１電極に取り付けられた第１接着材料であって、ここで、該第１接着材料が、導電性材料であり、そして該電極システムが前記創傷に適用されるとき、該第１接着材料によって、該第１電極が該創傷に取り付けられる、第１接着材料；および
該支持構造体に装着された第２電極であって、ここで、該第２電極が、該支持構造体上で第１電極を取り囲む、第２電極、
を備え、
ここで、（ａ）該電極システムが該創傷に適用される場合、および（ｂ）電圧が該第１電極および該第２電極にわたって印加される場合に、該第１電極と該第２電極との間に電流が流れ、これによって、電流が該創傷を通過し、そして該電流が、該第１接着材料を通過することなく、該第１電極と該創傷との間を流れることがない、
電極システム。
【請求項２】
請求項１に記載の電極システムであって、前記第１電極と前記第２電極との間に配置される前記支持構造体に装着される電気絶縁性要素をさらに備える、電極システム。
【請求項３】
請求項１に記載の電極システムであって、前記第１電極および前記第２電極にわたって前記電圧を印加するように構成された電源をさらに備える、電極システム。
【請求項４】
請求項３に記載の電極システムであって、前記電源が、前記支持構造体に装着されている、電極システム。
【請求項５】
請求項３に記載の電極システムであって、前記電源が、前記第１電極および前記第２電極にわたって、一定電圧を印加するように構成されている、電極システム。
【請求項６】
請求項３に記載の電極システムであって、前記電源が、前記第１電極と前記第２電極との間に、一定電流が流れるように構成されている、電極システム。
【請求項７】
請求項３に記載の電極システムであって、前記電源が、前記第１電極および前記第２電極にわたって、時間変化電圧を印加するように構成されている、電極システム。
【請求項８】
請求項７に記載の電極システムであって、前記時間変化電圧が前記第１電極および前記第２電極にわたって印加されるとき、前記電源が、該第１電極および該第２電極の極性を変化させるように構成されている、電極システム。
【請求項９】
請求項１に記載の電極システムであって、前記第１電極と前記第２電極との間に流れる電流によって、１μＡ／ｃｍ２〜１０，０００μＡ／ｃｍ２の範囲内の電流密度が、前記創傷領域を通るように生じる、電極システム。
【請求項１０】
請求項１に記載の電極システムであって、前記電流が、前記第１電極から前記創傷を通って前記第２電極に流れる、電極システム。
【請求項１１】
請求項１に記載の電極システムであって、前記電流が、前記第２電極から前記創傷を通って前記第１電極に流れる、電極システム。
【請求項１２】
請求項１に記載の電極システムであって、前記支持構造体が、酸素透過性である、電極システム。
【請求項１３】
請求項１に記載の電極システムであって、前記支持構造体が、水および水蒸気に対して不透過性である、電極システム。
【請求項１４】
請求項１に記載の電極システムであって、前記第２電極に取り付けられた第２接着材料をさらに備え、ここで、該電極システムが前記創傷に適用されるとき、該第２接着材料によって、該第２電極が該創傷の周りの皮膚に取り付けられる、電極システム。
【請求項１５】
請求項１に記載の電極システムであって、前記電極システムが前記創傷に適用されるとき、前記第１電極が、該損傷全体を覆う、電極システム。
【請求項１６】
請求項１に記載の電極システムであって、前記第１電極および前記第２電極が、薄い金属、金属堆積物、金属箔、および導電性ヒドロゲルからなる群より選択される、電極システム。
【請求項１７】
請求項１に記載の電極システムであって、視覚的インジケーターをさらに備え、該インジケーターによって、使用者が、この電極システムが機能しているか否か、またはどれだけ良好に機能しているかを決定し得る、電極システム。
【請求項１８】
創傷の治癒を促進するための電極システムであって、以下：
第１電極；
該第１材料に取り付けられた第１接着材料であって、ここで、該第１接着材料が、導電性材料であり、そして該第１電極が該創傷に適用されるとき、該第１接着材料によって、該第１電極が該創傷に取り付けられ、該第１接着材料が該創傷全体を覆う、第１接着材料；および
第２電極であって、該電極システムが該創傷に適用されるとき、該第２電極が、該第１電極を取り囲む、第２電極、
を備え、ここで、（ａ）該電極システムが該創傷に適用される場合、および（ｂ）電圧が該第１電極および該第２電極にわたって印加される場合に、該第１電極と該第２電極との間に電流が流れ、これによって、電流が該創傷を通過し、そして該電流が、該第１接着材料を通過することなく、該第１電極と該創傷との間を流れることがない、
電極システム。
【請求項１９】
請求項１８に記載の電極システムであって、該電極システムが前記創傷に適用される場合、前記第１電極と前記第２電極との間に配置される電気絶縁性要素をさらに備える、電極システム。
【請求項２０】
請求項１８に記載の電極システムであって、前記第１電極および前記第２電極にわたって前記電圧を印加するように構成された電源をさらに備える、電極システム。
【請求項２１】
請求項２０に記載の電極システムであって、前記電源が、前記第１電極および前記第２電極にわたって、一定電圧を印加するように構成されている、電極システム。
【請求項２２】
請求項２０に記載の電極システムであって、前記電源が、前記第１電極と前記第２電極との間に、一定電流が流れるように構成されている、電極システム。
【請求項２３】
請求項２０に記載の電極システムであって、前記電源が、前記第１電極および前記第２電極にわたって、時間変化電圧を印加するように構成されている、電極システム。
【請求項２４】
請求項２３に記載の電極システムであって、前記時間変化電圧が前記第１電極および前記第２電極にわたって印加されるとき、前記電源が、該第１電極および該第２電極の極性を変化させるように構成されている、電極システム。
【請求項２５】
請求項１８に記載の電極システムであって、前記第１電極と前記第２電極との間で流れる電流によって、１μＡ／ｃｍ２〜１０，０００μＡ／ｃｍ２の範囲内の電流密度が、前記創傷領域を通るように生じる、電極システム。
【請求項２６】
請求項１８に記載の電極システムであって、前記電流が、前記第１電極から前記創傷を通って前記第２電極に流れる、電極システム。
【請求項２７】
請求項１８に記載の電極システムであって、前記電流が、記第２電極から前記創傷を通って前記第１電極に流れる、電極システム。
【請求項２８】
請求項１８に記載の電極システムであって、前記第２電極に取り付けられた第２接着材料をさらに備え、ここで、該電極システムが前記創傷に適用されるとき、該第２接着材料によって、該第２電極が該創傷の周りの皮膚に取り付けられる、電極システム。
【請求項２９】
請求項１８に記載の電極システムであって、前記第１電極および前記第２電極が、薄い金属、金属堆積物、金属箔、および導電性ヒドロゲルからなる群より選択される、電極システム。
【請求項３０】
請求項１８に記載の電極システムであって、視覚的インジケーターをさらに備え、該インジケーターによって、使用者が、この電極システムが機能しているか否か、またはどれだけ良好に機能しているかを決定し得る、電極システム。
【請求項３１】
創傷の治癒を促進するための電極システムであって、以下：
第１電極；および
第２電極、
を備え、ここで、該電極システムが該創傷に適用されるとき、該第１電極および該第２電極が、十分な差示的な電圧および十分な電荷密度の反対に荷電したポリマーを含み、これによって、電流が、該第１電極から該創傷を通って該第２電極に流れる、電極システム。
【請求項３２】
請求項３１に記載の電極システムであって、前記第１電極および前記第２電極が装着される支持構造体をさらに備える、電極システム。
【請求項３３】
請求項３２に記載の電極システムであって、前記支持構造体が、酸素透過性である、電極システム。
【請求項３４】
請求項３２に記載の電極システムであって、前記支持構造体が、水および水蒸気に対して不透過性である、電極システム。
【請求項３５】
請求項３２に記載の電極システムであって、前記第２電極が、前記支持構造体上の前記第１電極を取り囲む、電極システム。
【請求項３６】
請求項３５に記載の電極システムであって、前記第１電極と前記第２電極との間に配置される前記支持構造体に装着される電気絶縁性要素をさらに備える、電極システム。
【請求項３７】
請求項３２に記載の電極システムであって、前記第１電極が、前記支持構造体上の前記第２電極を取り囲む、電極システム。
【請求項３８】
請求項３７に記載の電極システムであって、前記第１電極と前記第２電極との間に配置される前記支持構造体に装着される電気絶縁性要素をさらに備える、電極システム。
【請求項３９】
請求項３１に記載の電極システムであって、前記第１電極と前記第２電極との間で流れる電流によって、１μＡ／ｃｍ２〜１０，０００μＡ／ｃｍ２の範囲内の電流密度が、前記創傷領域を通るように生じる、電極システム。
【請求項４０】
請求項３１に記載の電極システムであって、さらに以下：
前記第１電極に取り付けられた第１接着材料であって、ここで、該電極システムが前記創傷に適用されるとき、該第１接着材料によって、該第１電極が該創傷に取り付けられる、第１接着材料；および
前記第２電極に取り付けられた第２接着材料であって、ここで、該電極システムが該創傷に適用されるとき、該第２接着材料によって、該第２電極が該創傷の周りの皮膚に取り付けられる、第２接着材料、
をさらに備える、電極システム。
【請求項４１】
請求項４０に記載の電極システムであって、前記電極システムが前記創傷に適用されるとき、前記第１電極が、該損傷全体を覆う、電極システム。
【請求項４２】
請求項３１に記載の電極システムであって、さらに以下：
前記第１電極に取り付けられた第１接着材料であって、ここで、該電極システムが前記創傷に適用されるとき、該第１接着材料によって、該第１電極が該創傷の周りの皮膚に取り付けられる、第１接着材料；および
前記第２電極に取り付けられた第２接着材料であって、ここで、該電極システムが該創傷に適用されるとき、該第２接着材料によって、該第２電極が創傷に取り付けられる、第２接着材料、
をさらに備える、電極システム。
【請求項４３】
請求項４２に記載の電極システムであって、前記電極システムが前記創傷に適用されるとき、前記第２電極が、該損傷全体を覆う、電極システム。